(57)【要約】【課題】殺菌対象に対する殺菌効果を発揮しつつ、紫外線が操作者や周囲の人に照射されることを抑制し、利便性、安全性、操作性の高い殺菌装置を提供すること。【解決手段】紫外線を発光する紫外線ランプと、この紫外線ランプを内部に収容する略棒状の筐体と、この筐体の表面に長手方向に沿って形成され、紫外線ランプから発光された紫外線を外部に露光する長孔形状の露光口と、を備えた殺菌装置であって、露光口の幅を、筐体の幅よりも狭く形成した。【選択図】図１
0003127338.tif 000002
【実用新案登録請求の範囲】
【請求項１】
紫外線を発光する紫外線ランプと、
この紫外線ランプを内部に収容する略棒状の筐体と、
この筐体の表面に長手方向に沿って形成され、前記紫外線ランプから発光された紫外線を外部に露光する長孔形状の露光口と、
を備えた殺菌装置であって、
前記露光口の長手方向に対してほぼ垂直方向の幅を、前記筐体自体の幅よりも狭く形成した、
ことを特徴とする殺菌装置。
【請求項２】
前記筐体の内部に、前記紫外線ランプから前記露光口にかけて、前記紫外線ランプから発光される紫外線の照射経路の周囲を囲う照射経路壁を備えた、ことを特徴とする請求項１記載の殺菌装置。
【請求項３】
前記照射経路壁を、当該照射経路壁にて囲まれた空間が前記筐体の内部側から前記露光口に向かって広がるよう傾斜させて形成した、ことを特徴とする請求項２記載の殺菌装置。
【請求項４】
前記筐体の表面の前記露光口形成側とはほぼ反対側に、殺菌装置に操作指令を入力する操作部を設けた、ことを特徴とする請求項１，２又は３記載の殺菌装置。
【考案の詳細な説明】
【技術分野】
【０００１】
本考案は、殺菌装置にかかり、特に、ハンディタイプの殺菌装置に関する。
【背景技術】
【０００２】
従来より、飲食店や病院など、所定の業種においては、衛生上、使用するもの（食器など）を殺菌する必要が生じ、種々の殺菌装置が用いられている。そして、近年では、個人でも衛生に対する意識が高まっており、各人が家庭にて利用できる殺菌装置も実用化されている。例えば、特許文献１には、紫外線ランプを装備したハンディタイプの殺菌装置の記載があり（図による開示はない）、食器などの対象物に紫外線ランプを近接させてゆっくりと移動することで、広い面を連続的に殺菌することができる。また、伸び縮みする棒状の先端部に紫外線ランプを備えた殺菌装置も開示されており（特許文献１の図１を参照）、手の届かない高所や機器等の狭い隙間、さらには、コーナー部分などについても殺菌することができる。
【０００３】
【特許文献１】特開２０００−２４０９５号公報
【考案の開示】
【考案が解決しようとする課題】
【０００４】
しかしながら、上述した前者のハンディタイプの殺菌装置は、開示されている構成が明らかではなく、紫外線ランプによる紫外線の照射度合いが不明であり、その構成によっては、操作者や周囲の人に相当量の紫外線が照射されてしまう可能性がある。そして、特許文献１に図示されて開示されている殺菌装置では、伸び縮みする部材の先端部に紫外線ランプが設けられていることから、紫外線が広い範囲に照射されてしまい、上記同様に、操作者や周囲の人に相当量の照射されてしまう可能性があり、人体に影響を与えかねない、という問題があった。
【０００５】
このため、本考案では、上記従来例の有する不都合を改善し、特に、殺菌対象に対する殺菌効果を発揮しつつ、紫外線が操作者や周囲の人に照射されることを抑制し、利便性、安全性、操作性の高いハンディタイプの殺菌装置を提供する、ことをその目的とする。
【課題を解決するための手段】
【０００６】
そこで、本考案である殺菌装置は、
紫外線を発光する紫外線ランプと、
この紫外線ランプを内部に収容する略棒状の筐体と、
この筐体の表面に長手方向に沿って形成され、紫外線ランプから発光された紫外線を外部に露光する長孔形状の露光口と、
を備えた殺菌装置であって、
露光口の長手方向に対してほぼ垂直方向の幅を、筐体自体の幅よりも狭く形成した、
ことを特徴としている。
【０００７】
上記考案によると、まず、紫外線ランプが収容された筐体の長手方向に沿って形成された長孔形状の露光口から、紫外線が外部に露出されるため、殺菌装置自体を長手方向に対してほぼ垂直方向に走査することで、広い範囲に紫外線を照射させることができる。そして、特に、露光口の幅（当該露光口の長手方向に対してほぼ垂直方向の幅）が筐体自体の幅（当該筐体の長手方向に対してほぼ垂直方向の幅）よりも狭く形成されているため、紫外線の照射範囲が不必要に拡大されず、また、露光口の周囲が筐体の周囲によって覆われた状態になる。従って、紫外線による殺菌作用を発揮させつつ、紫外線が露光口の周囲に漏れることを有効に抑制することができ、人体への影響も抑制することができる。
【０００８】
また、筐体の内部に、紫外線ランプから露光口にかけて、紫外線ランプから発光される紫外線の照射経路の周囲を囲う照射経路壁を備えた、ことを特徴としている。これにより、紫外線ランプから発光された紫外線が照射経路壁にて反射してより効率よく露光口から出力される。従って、上述したように紫外線の漏れを有効に抑制しつつ、殺菌効果の向上を図ることができる。
【０００９】
また、照射経路壁を、当該照射経路壁にて囲まれた空間が筐体の内部側から露光口に向かって広がるよう傾斜させて形成した、ことを特徴としている。これにより、上述したように紫外線の漏れを有効に抑制しつつ、可能な限り照射範囲を広げることが可能となり、殺菌効率の向上を図ることができる。
【００１０】
さらに、筐体の表面の露光口形成側とはほぼ反対側に、殺菌装置に操作指令を入力する操作部を設けた、ことを特徴としている。これにより、露光口形成側とは反対側、つまり、その裏側に設けられた操作装置を操作することで殺菌を行うことができるため、操作者が操作中に露光口側に位置することを抑制でき、操作時の安全性の向上を図ることができる。
【考案の効果】
【００１１】
本考案は、以上のように構成され機能するので、これによると、紫外線の照射範囲が不必要に拡大されず、また、露光口の周囲が筐体の周囲によって覆われた状態になるため、紫外線による殺菌作用を発揮させつつ、紫外線が露光口の周囲に漏れることを有効に抑制することができ、人体への影響も抑制することができ、利便性、安全性、操作性の向上を図ることができる、という従来にない優れた効果を有する。
【考案を実施するための最良の形態】
【００１２】
本考案は、略棒形状の殺菌装置であり、操作者が手に持って、殺菌対象に対して容易に紫外線を照射させて殺菌を行うことができるハンディタイプの殺菌装置である。以下、実施例にて、具体的な構成を説明する。
【実施例１】
【００１３】
本考案の第１の実施例を、図１乃至図４を参照して説明する。図１は、殺菌装置の全体構成を示す図であり、図２乃至図３は、露光口の構成を示す図である。図４は、殺菌装置の使用時の動作を示す図である。
【００１４】
［構成］
図１（ａ）に殺菌装置１を紫外線が露光される露光口側から見た平面図を示し、図１（ｂ）は図１（ａ）を右側から見た側面図を、図１（ｃ）は裏面側の平面図を示す。なお、以下では、説明の都合上、図１（ａ）の図示側を表面側とし、図１（ｃ）の図示側を裏面側として説明する。
【００１５】
まず、図１に示すように、本実施例における殺菌装置は、所定の長さを有する略棒状であり、一端側（図１（ａ）の下端側）に操作者にて把持される把持部１１が形成されている。そして、図１（ａ）に示す表面側の長手方向の中央付近から他端側（図１（ａ）の上端側）にかけては、紫外線が照射される露光部１２（露光口）が形成されている。さらに、図１（ｃ）に示す裏面側であって、把持部１１の上方（他端側）には、殺菌装置に対する操作指令を入力する操作スイッチ１３（操作部）と、殺菌装置１の動作状態等が表示される表示部１４と、が設けられている。
【００１６】
具体的に、殺菌装置１は、図１（ｂ）に示すように、表面側の筐体２と、裏面側の筐体３と、を備えており、これらが相互に合わさって略棒状（断面が楕円形の柱状）の外観が形成され、その内部には、空洞部が形成される。そして、内部の空洞部には、紫外線を発光する棒状の紫外線ランプ１５が収容されている。また、上述したように、表面側の筐体２には、上記紫外線ランプ１５から発光された紫外線を外部に出力する露光部１２が形成されているが、この露光部１２の構成についてさらに図２乃至図３を参照して説明する。
【００１７】
図２に示すように、表面側の筐体２の表面には、筐体自体の長手方向に沿って長辺を有する略長方形状の貫通した露光部用孔２１が形成されており、この露光部用孔２１にほぼ同一形状の外形を有し露光口２２ａが形成された露光部形成部材２２が装備される。ここで、露光部用孔２１の周囲に位置する内側面は、表面側筐体２の内部側が一回り狭く形成されており、段状に形成されていて、この段状の箇所に、表面側から露光部形成部材２２が載置される（矢印Ｙ１参照、図３（ｂ）及び図３（ｃ）参照）。
【００１８】
露光部形成部材２２の形状について、さらに図３を参照して説明する。露光部形成部材２２は、略長方形状の板状部材の中央に、その外形よりもさらに小さい内部に貫通する略長方形状の露光口２２ａが形成されている。つまり、露光口２２ａは、棒状の殺菌装置の長手方向に沿って長辺を有する長方形状の長孔であり、かつ、短辺方向の長さ（幅）が筐体２の幅（長手方向に対して垂直方向の長さ）よりも狭く形成されている。さらに、露光部形成部材２２には、露光口２２ａの周囲から内部に向かう壁面２２ｂ（照射経路壁）が形成されている。
【００１９】
ここで、図３（ａ）のＡ−Ａ断面図を図３（ｂ）に、Ｂ−Ｂ断面図を図３（ｃ）に示すが、上記壁面２２ｂは、露光口２２ａの周囲から紫外線ランプ１５の位置にまで延びて形成され、当該紫外線ランプ１５から発光された紫外線が露光口２２ａまで照射される際の照射経路の周囲を囲うよう形成されている。特に、露光口２２ａの長辺から内部に延びる壁面２２ｂは、内部に向かうにつれて照射経路が狭くなるよう傾斜して形成されており、相対する壁面２２ｂが相互に近づくようテーパー状に形成されている。換言すると、壁面２２ｂは、図３（ｃ）に示すように、内部側から露光口２２ａに向かって広がるよう形成されている。なお、図３（ｂ）及び図３（ｃ）には、露光部形成部材２２が載置されて装備される表面側筐体２の露光部用孔２１を２点鎖線にて示している。
【００２０】
また、裏面側筐体３の把持部１１上部に設けられた操作スイッチ１３は、押下することで電源のオン／オフ、つまり、紫外線の照射開始／停止を操作可能なスイッチである。そして、この操作スイッチ１３のさらに上方に設けられた表示部１４は、殺菌装置の作動状態を表す情報を表示し、例えば、紫外線の連続照射時間を表示する。
【００２１】
［動作］
次に、上述した構成の殺菌装置１の動作を、図４を参照して説明する。まず、ユーザＵ（操作者）は、操作装置１の把持部１１を把持し、殺菌対象となる場所に操作装置１の露光部１２側（表面側）を向ける。図４の例では、露光部１２側を下方に向け、操作スイッチ１３及び表示部１４側を上方に向けて把持する。
【００２２】
そして、ユーザＵは、操作スイッチ１３を操作して、紫外線の照射を開始する操作指令を入力する。すると、筐体内部の紫外線ランプ１５が点灯し、当該紫外線ランプ１５から発光された紫外線が、上述した壁面２２ｂにて囲まれた照射経路を通過して、露光口２２ａから図４の符合Ｌに示すように、照射対象に対して出力される。
【００２３】
このとき、紫外線は、壁面２２ｂに囲まれた照射経路を通過する際に、当該壁面２２ｂにて反射されて露光口２２ａへと導かれる。従って、出力の弱い紫外線ランプであっても紫外線を効率よく露光口２２ａから照射させることができる。また、壁面２２ｂが傾斜しているため、露光口２２ａは可能な限り広く形成されており、殺菌範囲を広げることができる。一方で、露光口２２ａは、殺菌装置１の幅よりも狭く形成されているため、図４の使用状態の場合には、露光口２２の上方周囲が筐体によって覆われた状態になるため、紫外線が露光口２２ａの周囲から外部に漏れることを有効に抑制することができ、人体への影響も抑制することができる。
【００２４】
その後、ユーザＵは、殺菌装置１を、長手方向に対してほぼ垂直方向に移動させて操作することで、広い範囲に紫外線を照射させることができ、短時間でより広範囲の殺菌を行うことができる。このとき、表示部１４には、連続して照射可能な時間や残りの照射時間が表示される。従って、ユーザＵは、露光口２２ａの裏側に設けられた操作スイッチ１３を操作したり、同様に露光口２２ａの裏側に設けられた表示部１４から殺菌装置１の作動状態を知ることができるため、ユーザＵの手などの身体が操作中に露光口２２ａ側に位置することを抑制でき、操作性、及び、操作時の安全性の向上を図ることができる。
【産業上の利用可能性】
【００２５】
本考案は、家庭などでテーブルや食器などの殺菌対象物を殺菌する際に使用することができ、産業上の利用可能性を有する。
【図面の簡単な説明】
【００２６】
【図１】殺菌装置の外観を示す図である。
【図２】図１に開示した表面側の筐体の構成を示す図である。
【図３】図２に開示した露光部形成部材の構成を示す図である。
【図４】殺菌装置の使用時の様子を示す図である。
【符号の説明】
【００２７】
１  殺菌装置
２  表面側の筐体
３  裏面側の筐体
１１  把持部
１２  露光部
１３  操作スイッチ
１４  表示部
１５  紫外線ランプ
２１  露光部用孔
２２  露光部形成部材
２２ａ  露光口
２２ｂ  壁面
【図１】
0003127338.tif 000003
【図２】
0003127338.tif 000004
【図３】
0003127338.tif 000005
【図４】
0003127338.tif 000006